(57)【要約】　　　（修正有）【課題】噴霧塗装をする場合に塗料が霧状となって飛来して保護具のレンズに付着して視野を曇らせるのでこれを防止したい。【解決手段】視野部分の外部にエアカーテンを発生させて噴霧塗装時の塗料の霧をレンズ部分に付着させ無い様にする。【選択図】　　　　　　図２
0003099361.tif 000002
【実用新案登録請求の範囲】
【請求項１】
　顔面カバーやレンズ外面にエアカーテンを作ることによって汚れが付着することを防止して視野を確保する保護具。
【考案の詳細な説明】
【考案の詳細な説明】
【技術分野】
【０００１】　エアレス塗装機やエアスプレー機等と称される用具を使用して噴霧塗装作業をする場合には塗料が霧状（以下、塗料の霧と称する）になって空気中を漂うが、十分な換気をすることが出来ない作業環境の場合に、作業者のまわりにこの塗料の霧が降りそそぐ。そのため作業者が防護眼鏡等保護具を着けている場合にはそのレンズに付着して視野を妨げ、或いは顔や頭に付着し、また呼吸器に害を及ぼす場合があるので、本考案はこれを防護する為の保護具に関するものである。
【背景技術】
【０００２】　従来、この問題を解消する為に、首から上をすっぽり覆う袋状の保護具（以下、頭巾と称す）がある。
　視野を確保するためには顔の前面を透明なカバー（以下、顔面カバーと称す）で覆うか、視野部分のみガラスやプラスチックのレンズ（これは度がついていない均等な厚さであるが以下、レンズと称す）を取り付け、呼吸の為に頭巾内へ空気を送入する様になっている。
【考案が解決しようとする課題】
【０００３】　この頭巾を使用して塗料の霧の中で作業をする場合、顔面カバー（２）やレンズ（４）外面に塗料の霧が付着するのを防止する手段が施されていないので塗料の霧が付着して視野を妨げられることがある。本考案はこの不具合を解消しようとするものである。
【課題を解決するための手段】
【０００４】　視野を確保する為、塗料の霧を顔面カバー（２）の視野部分やレンズ（４）に付着させない方法として、顔面カバー（２）の視野の周りやレンズ（４）の外面の表面に沿った空気の流れを作る。つまりエアカーテンを作れば良い。
【考案を実施するための最良の形態】
【０００５】　塗料の霧が浮遊する作業環境の中では塗料の霧が顔面カバー（２）やレンズ（４）外面に付着するだけでなく、顔や頭を汚し、また呼吸器にも害を及ぼす恐れがあるので、保護具は袋状にして首から上をすっぽり覆う頭巾（１）とする。視野を確保するために顔側は透明なプラスチック製の顔面カバー（２）で覆う様にし、場合により別にレンズ（４）を取り付ける等をする。呼吸のため頭巾の中へエアホース（８）で空気を送入する。【０００６】　視野の前に空気の流れ即ちエアカーテンを作る第１の方法としては、顔面カバー（２）外面に視野の周りに沿って無数の小穴を開けたパイプ（３）を巡らせ、これにエアホース（８）で空気を送って視野の前方にエアカーテンを作る。第２の方法は、第１同様にレンズとして独立した物は取り付けず、顔面カバー（２）本体の視野の周りに無数の小穴を開けるか、若しくは別個にレンズ（４）を設けてレンズ（４）の周りに隙間を作り、頭巾に送る空気をその小穴や隙間から送り出してレンズ（４）外面に沿って空気が流れ出る様にする。
【実施例】
【０００７】　図２は、顔面カバー（２）外面の視野部分の周りにパイプ（３）（ビニール、銅管又はアルミ管等）を巡らせ、パイプ（３）は顔面カバー（２）外面を視野の中心方向に空気が流れ出る様な位置に無数の子穴を穿ったもので、その為の空気は頭巾内に送るエアホース（８）から分岐する。【０００８】　図３〜図６は、顔面カバー（２）本体の視野のまわりに穴を開けるか、視野の部分を刳り貫いて別個にレンズを取り付け、頭巾の首の部分は紐で絞るなどして頭巾（１）へ送入された空気を視野の部分からのみ外部へ逃げ出す様にして顔面カバー（２）やレンズ（４）外面にエアカーテンを作る様にするもので、より詳細に説明すれば、【０００９】　図３では、レンズ部分は切り離さず、顔面カバー（２）本体の視野のまわりに無数の小穴（５）を斜めに開けて視野の中心へと空気が流れる様にしたものである。また、レンズ（４）部分を切り離して顔面カバー（２）の刳り貫いた穴とレンズ（４）側の外周を斜めに成型して同じく視野の中心へ空気が流れる様にしても良い。（断面図は同じになる）【００１０】　図４では、顔面カバー（２）の視野の部分を刳り貫き、その刳り貫き寸法より僅かに小さい寸法でレンズ（４）を作って顔面カバーと略同一面に取り付け、その隙間（６）から空気を送り出し、空気がレンズ（４）外面を沿って流れる様に空気の流れを変える為のアングル（７）を取り付けてある。（尚これは、アングル取り付けはしないで、顔面カバーにアングル型を一体成型で作っても良い。）【００１１】　図５では、顔面カバー（２）へ刳り貫いた穴より大きい寸法のレンズ（４）を顔面カバー（２）の内側へ僅かな隙間（６）を保って固定したもので、内側からの空気をその隙間（６）の向きに従って、レンズ（４）外面に沿って流れる様にしたものである。【００１２】　図６では、内側に取り付けたレンズ（４）と顔面カバー（２）の間に小穴を開けたパイプ（３）を巡らせたもので、頭巾内へのエアホース（８）から空気を分岐してこのパイプ（３）に送る。【００１３】　以上の説明でのレンズ（４）は左右の眼別々としても、両眼一体の構造としても良く、いずれもレンズ（４）の外面に沿った空気の流れを作ること、即ち視野の前面にエアカーテンを作ることを目的としたものである。
【考案の効果】
【００１４】　エアカーテンを作ることにより視野の前面に塗料の霧が飛来して来るのを排除することで、レンズ外面に塗料が付着することを防ぐので作業中に見通しが効かなくなることが無い。また塗料の霧を防ぐだけでなく、頭巾（１）内へ常時新鮮な空気を供給している為楽に呼吸が出来るし、頭巾（１）内に空気の流れがある為にレンズ内部が発汗で曇ることが無い。その上この様な塗装の場合には塗料の種類によっては空気中に有機溶剤が多量に含まれる場合があるので、通常防毒マスクを着装するが、この場合にはその必要は無く、或いは酸素が欠乏する様な劣悪な作業環境中にあっても安全に作業することが出来る。
　尚且つ、首から上全体を覆っている為、塗装以外の作業、例えば金属の研磨作業などでは研磨屑が飛来して来るが、それらの固形物や或いは塵埃からも眼を護り且つ首から上を完全に防護することが出来る。
【図面の簡単な説明】
【図１】　本案の側面図
【図２】　顔面カバー外面に小穴を開けたパイプを取り付けた状態を示す顔面カバーのみの正面図
【図３】　顔面カバーの視野の周りに斜めに小穴を開けた状態を示す断面図
【図４】　アングルを取り付けた状態を示す断面図
【図５】　レンズを顔面カバー内側に付けた状態を示す断面図
【図６】　顔面カバーとレンズの間に小穴を開けたパイプを取り付けた状態を示す断面図
【符号の説明】
　　　　　１　頭巾
　　　　　２　顔面カバー
　　　　　３　小穴を開けたパイプ
　　　　　４　レンズ
　　　　　５　小穴
　　　　　６　隙間
　　　　　７　アングル
　　　　　８　エアホース
【図１】
0003099361.tif 000003
【図２】
0003099361.tif 000004
【図３】
0003099361.tif 000005
【図４】
0003099361.tif 000006
【図５】
0003099361.tif 000007
【図６】
0003099361.tif 000008